【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
デジタル放送を受信し選局を行なう第１及び第２のチューナ部と、
前記第１及び第２のチューナ部の一方からの出力信号の復調、誤り訂正を行いトランスポートストリームを出力する復調部と、
前記復調部から出力されるトランスポートストリームから番組特定情報、番組配列情報を抽出し番組情報の保存を行い、映像、音声ストリームを抽出分離するデマルチプレクス部と、
映像、音声の復号を行う映像／音声デコード部と、
前記映像／音声でコード部の出力をそれぞれ表示、出力する映像表示部及び音声出力部と、
前記第１及び第２のチューナ部の前記一方、前記デマルチプレクス部、及び前記映像／音声デコード部のそれぞれの情報から番組視聴が出来なくなる前または出来なくなった後に視聴不可を検出する受信不可検出部と、
前記第１及び第２のチューナ部に選局指示を行う選局制御部と、
前記選局制御部が系列局を検出した際に、その系列局を選局するための選局情報を記憶する系列局記憶部と
を備えたデジタル放送受信装置において、
前記選局制御部は、前記第１及び第２のチューナ部の他方の信号を用いて、前記系列局記憶部に記録されている系列局に優先度をつけ、
前記受信不可検出部が視聴不可を検出した際に、受信不可検出前に選局していた放送局と同一系列の放送局が前記系列局記憶部に記録されていた場合、前記選局制御部は優先度の高い系列局から順に選局することを特徴とするデジタル放送受信装置。
【請求項２】
前記第１及び第２のチューナ部の出力のいずれかを選択して前記復調部に供給するチューナ部選択部をさらに備え、
前記チューナ部選択部が前記第１及び第２のチューナ部の前記一方の出力を選択して前記復調部に供給しており、前記第１及び第２のチューナ部の前記一方で選局した放送局が視聴不可となったとき、前記第１及び第２のチューナ部の前記他方で選局している放送局が視聴可能である場合には、前記第１及び第２のチューナ部の役割を入れ替えることを特徴とする請求項１に記載のデジタル放送受信装置。
【請求項３】
デジタル放送を受信し選局を行なう第１及び第２のチューナ部と、
それぞれ前記第１及び第２のチューナ部からの出力信号の復調、誤り訂正を行いトランスポートストリームを出力する第１及び第２の復調部と、
前記第１及び第２のチューナ部のうちの一方の出力信号の復調、誤り訂正を行う前記第１又は第２の復調部から出力されるトランスポートストリームから番組特定情報、番組配列情報を抽出し番組情報の保存を行い、映像、音声ストリームを抽出分離するデマルチプレクス部と、
映像、音声の復号を行う映像／音声デコード部と、
前記映像／音声でコード部の出力をそれぞれ表示、出力する映像表示部及び音声出力部と、
前記第１及び第２のチューナ部の前記一方、前記第１及び第２のチューナ部の前記一方の出力信号の復調、誤り訂正を行う前記第１又は第２の復調部、前記第１のデマルチプレクス部及び前記映像／音声デコード部のそれぞれの情報から番組視聴が出来なくなる前または出来なくなった後に視聴不可を検出する受信不可検出部と、
前記第１及び第２のチューナ部に選局指示を行う選局制御部と、
前記選局制御部が系列局を検出した際に、その系列局を選局するための選局情報を記憶する系列局記憶部と
を備えたデジタル放送受信装置において、
前記選局制御部は、前記第１及び第２のチューナ部の他方及び前記第１及び第２のチューナ部の他方の出力信号の復調、誤り訂正を行う前記第１又は第２の復調部からの信号のいずれかを用いて、前記系列局記憶部に記録されている系列局に優先度をつけ、
前記受信不可検出部が視聴不可を検出した際に、受信不可検出前に選局していた放送局と同一系列の放送局が前記系列局記憶部に記録されていた場合、前記選局制御部は優先度の高い系列局から順に選局することを特徴とするデジタル放送受信装置。
【請求項４】
前記第１及び第２の復調部の出力のいずれかを選択して前記デマルチプレクス部に供給する復調部選択部をさらに備え、
前記復調部選択部が前記第１及び第２のチューナ部の前記一方の出力信号の復調、誤り訂正を行う前記第１又は第２の復調部の出力を選択して前記デマルチプレクス部に供給しており、前記第１及び第２のチューナ部の前記一方で選局した放送局が視聴不可となったとき、前記第１及び第２のチューナ部の前記他方で選局している放送局が視聴可能である場合には、前記第１及び第２のチューナ部、並びに前記第１及び第２の復調部の役割を入れ替えることを特徴とする請求項３に記載のデジタル放送受信装置。
【請求項５】
デジタル放送を受信し選局を行なう第１及び第２のチューナ部と、
それぞれ前記第１及び第２のチューナ部からの出力信号の復調、誤り訂正を行いトランスポートストリームを出力する第１及び第２の復調部と、
それぞれ前記第１及び第２の復調部から出力されるトランスポートストリームから番組特定情報、番組配列情報を抽出し番組情報の保存を行い、映像、音声ストリームを抽出分離する第１及び第２のデマルチプレクス部と、
映像、音声の復号を行う映像／音声デコード部と、
前記映像／音声でコード部の出力をそれぞれ表示、出力する映像表示部及び音声出力部と、
前記第１及び第２のチューナ部、前記第１及び第２の復調部、前記第１及び第２のデマルチプレクス部及び前記映像／音声デコード部のそれぞれの情報から番組視聴が出来なくなる前または出来なくなった後に視聴不可を検出する受信不可検出部と、
前記第１及び第２のチューナ部に選局指示を行う選局制御部と、
前記選局制御部が系列局を検出した際に、その系列局を選局するための選局情報を記憶する系列局記憶部と
を備えたデジタル放送受信装置において、
前記選局制御部は、前記第１及び第２のチューナ部、前記第１及び第２の復調部、及び前記第１及び第２のデマルチプレクス部のいずれかを用いて、前記系列局記憶部に記録されている系列局に優先度をつけ、
前記受信不可検出部が視聴不可を検出した際に、受信不可検出前に選局していた放送局と同一系列の放送局が前記系列局記憶部に記録されていた場合、前記選局制御部は優先度の高い系列局から順に選局することを特徴とするデジタル放送受信装置。
【請求項６】
前記第１及び第２のデマルチプレクス部の出力のいずれかを選択して前記映像／音声デコード部に供給するデマルチプレクス部選択部をさらに備え、
前記デマルチプレクス部選択部が前記第１及び第２のチューナ部の一方の出力信号の復調、誤り訂正を行う前記第１又は第２の復調部の出力を受ける前記第１又は第２のデマルチプレクス部を選択して前記映像／音声デコード部に供給しており、前記第１及び第２のチューナ部の前記一方で選局した放送局が視聴不可となったとき、前記第１及び第２のチューナ部の前記他方で選局している放送局が視聴可能である場合には、前記第１及び第２のチューナ部、並びに前記第１及び第２の復調部、並びに前記第１及び第２のデマルチプレクス部の役割を入れ替えることを特徴とする請求項５に記載のデジタル放送受信装置。
【請求項７】
前記選局制御部は、前記第１及び第２のチューナ部のいずれかに、前記系列局記憶部に記録されている系列局のみ順に選局させ、その際に得られる情報を元に優先度を算出することを特徴とする請求項１乃至６のいずれかに記載のデジタル放送受信装置。
【請求項８】
デジタル放送を受信し選局を行なう第１及び第２のチューナ部と、
前記第１のチューナ部からの出力信号の復調、誤り訂正を行いトランスポートストリームを出力する復調部と、
前記復調部から出力されるトランスポートストリームから番組特定情報、番組配列情報を抽出し番組情報の保存を行い、映像、音声ストリームを抽出分離するデマルチプレクス部と、
前記デマルチプレクス部から抽出された映像、音声ストリームの復号を行う映像／音声デコード部と、
前記映像／音声デコード部の出力をそれぞれ表示、出力する映像表示部及び音声出力部と、
前記第１及び第２のチューナ部に選局指示を行う選局制御部と、
前記選局制御部が系列局又はＭＦＮのチャンネルを検出した際に、その系列局又はＭＦＮのチャンネルを選局するための選局情報を記憶する系列局記憶部と
を備えたデジタル放送受信装置において、
前記選局制御部は、前記第１及び第２のチューナ部を用いてそれぞれ系列局又はＭＦＮの関係にあるチャンネルを選局し、
前記第１のチューナ部からの信号及び前記復調部からの信号及び前記デマルチプレクス部からの信号及び前記映像／音声デコード部からの信号の内の少なくとも一つを用いて、前記第１のチューナ部で選局しているチャンネルの優先度を算出し、
前記第２のチューナ部からの信号を用いて、前記第２のチューナ部で選局しているチャンネルの優先度を算出し、
前記第２のチューナ部で選局しているチャンネルの優先度が前記第１のチューナ部で選局しているチャンネルの優先度を上回った場合、前記第２のチューナ部で選局しているチャンネルを前記第１のチューナ部で選局することを特徴とするデジタル放送受信装置。
【請求項９】
デジタル放送を受信し選局を行なう第１及び第２のチューナ部と、
前記第１のチューナ部からの出力信号の復調、誤り訂正を行いトランスポートストリームを出力する第１の復調部と、
前記第２のチューナ部からの出力信号の復調、誤り訂正を行いトランスポートストリームを出力する第２の復調部と、
前記第１の復調部から出力されるトランスポートストリームから番組特定情報、番組配列情報を抽出し番組情報の保存を行い、映像、音声ストリームを抽出分離するデマルチプレクス部と、
前記デマルチプレクス部から抽出された映像、音声ストリームの復号を行う映像／音声デコード部と、
前記映像／音声デコード部の出力をそれぞれ表示、出力する映像表示部及び音声出力部と、
前記第１及び第２のチューナ部に選局指示を行う選局制御部と、
前記選局制御部が系列局又はＭＦＮのチャンネルを検出した際に、その系列局又はＭＦＮのチャンネルを選局するための選局情報を記憶する系列局記憶部と
を備えたデジタル放送受信装置において、
前記選局制御部は、前記第１及び第２のチューナ部を用いてそれぞれ系列局又はＭＦＮの関係にあるチャンネルを選局し、
前記第１のチューナ部からの信号及び前記第１の復調部からの信号及び前記デマルチプレクス部からの信号及び前記映像／音声デコード部からの信号の内の少なくとも一つを用いて、前記第１のチューナ部で選局しているチャンネルの優先度を算出し、
前記第２のチューナ部からの信号及び前記第２の復調部からの信号の内の少なくとも一つを用いて、前記第２のチューナ部で選局しているチャンネルの優先度を算出し、
前記第２のチューナ部で選局しているチャンネルの優先度が前記第１のチューナ部で選局しているチャンネルの優先度を上回った場合、前記第２のチューナ部で選局しているチャンネルを前記第１のチューナ部で選局することを特徴とするデジタル放送受信装置。
【請求項１０】
デジタル放送を受信し選局を行なう第１及び第２のチューナ部と、
前記第１のチューナ部からの出力信号の復調、誤り訂正を行いトランスポートストリームを出力する第１の復調部と、
前記第２のチューナ部からの出力信号の復調、誤り訂正を行いトランスポートストリームを出力する第２の復調部と、
前記第１の復調部から出力されるトランスポートストリームから番組特定情報、番組配列情報を抽出し番組情報の保存を行い、映像、音声ストリームを抽出分離する第１のデマルチプレクス部と、
前記第２の復調部から出力されるトランスポートストリームから番組特定情報、番組配列情報を抽出し番組情報の保存を行い、映像、音声ストリームを抽出分離する第２のデマルチプレクス部と、
前記第１のデマルチプレクス部から抽出された映像、音声ストリームの復号を行う映像／音声デコード部と、
前記映像／音声デコード部の出力をそれぞれ表示、出力する映像表示部及び音声出力部と、
前記第１及び第２のチューナ部に選局指示を行う選局制御部と、
前記選局制御部が系列局又はＭＦＮのチャンネルを検出した際に、その系列局又はＭＦＮのチャンネルを選局するための選局情報を記憶する系列局記憶部と
を備えたデジタル放送受信装置において、
前記選局制御部は、前記第１及び第２のチューナ部を用いてそれぞれ系列局又はＭＦＮの関係にあるチャンネルを選局し、
前記第１のチューナ部からの信号及び前記第１の復調部からの信号及び前記第１のデマルチプレクス部からの信号及び前記映像／音声デコード部からの信号の内の少なくとも一つを用いて、前記第１のチューナ部で選局しているチャンネルの優先度を算出し、
前記第２のチューナ部からの信号及び前記第２の復調部からの信号及び前記第２のデマルチプレクス部からの信号の内の少なくとも一つを用いて、前記第２のチューナ部で選局しているチャンネルの優先度を算出し、
前記第２のチューナ部で選局しているチャンネルの優先度が前記第１のチューナ部で選局しているチャンネルの優先度を上回った場合、前記第２のチューナ部で選局しているチャンネルを前記第１のチューナ部で選局することを特徴とするデジタル放送受信装置。
【請求項１１】
デジタル放送を受信し選局を行なう第１及び第２のチューナ部と、
前記第１のチューナ部からの出力信号の復調、誤り訂正を行いトランスポートストリームを出力する第１の復調部と、
前記第２のチューナ部からの出力信号の復調、誤り訂正を行いトランスポートストリームを出力する第２の復調部と、
前記第１の復調部から出力されるトランスポートストリームから番組特定情報、番組配列情報を抽出し番組情報の保存を行い、映像、音声ストリームを抽出分離する第１のデマルチプレクス部と、
前記第２の復調部から出力されるトランスポートストリームから番組特定情報、番組配列情報を抽出し番組情報の保存を行い、映像、音声ストリームを抽出分離する第２のデマルチプレクス部と、
前記第１のデマルチプレクス部から抽出された映像、音声ストリームの復号を行う第１の映像／音声デコード部と、
前記第２のデマルチプレクス部から抽出された映像、音声ストリームの復号を行う第２の映像／音声デコード部と、
前記第１の映像／音声デコード部の出力をそれぞれ表示、出力する映像表示部及び音声出力部と、
前記第１及び第２のチューナ部に選局指示を行う選局制御部と、
前記選局制御部が系列局又はＭＦＮのチャンネルを検出した際に、その系列局又はＭＦＮのチャンネルを選局するための選局情報を記憶する系列局記憶部と
を備えたデジタル放送受信装鐘において、
前記選局制御部は、前記第１及び第２のチューナ部を用いてそれぞれ系列局又はＭＦＮの関係にあるチャンネルを選局し、
前記第１のチューナ部からの信号及び前記第１の復調部からの信号及び前記第１のデマルチプレクス部からの信号及び前記第１の映像／音声デコード部からの信号の内の少なくとも一つを用いて、前記第１のチューナ部で選局しているチャンネルの優先度を算出し、
前記第２のチューナ部からの信号及び前記第２の復調部からの信号及び前記第２のデマルチプレクス部からの信号及び前記第２の映像／音声デコード部からの信号の内の少なくとも一つを用いて、前記第２のチューナ部で選局しているチャンネルの優先度を算出し、
前記第２のチューナ部で選局しているチャンネルの優先度が前記第１のチューナ部で選局しているチャンネルの優先度を上回った場合、前記第２のチューナ部で選局しているチャンネルを前記第１のチューナ部で選局することを特徴とするデジタル放送受信装置。
【請求項１２】
デジタル放送を受信し選局を行なう第１及び第２のチューナ部と、
前記第１のチューナ部からの出力信号の復調、誤り訂正を行いトランスポートストリームを出力する第１の復調部と、
前記第２のチューナ部からの出力信号の復調、誤り訂正を行いトランスポートストリームを出力する第２の復調部と、
前記第１の復調部から出力されるトランスポートストリームから番組特定情報、番組配列情報を抽出し番組情報の保存を行い、映像、音声ストリームを抽出分離する第１のデマルチプレクス部と、
前記第２の復調部から出力されるトランスポートストリームから番組特定情報、番組配列情報を抽出し番組情報の保存を行い、映像、音声ストリームを抽出分離する第２のデマルチプレクス部と、
前記第１のデマルチプレクス部から抽出された映像、音声ストリームの復号を行う映像／音声デコード部と、
前記映像／音声デコード部の出力をそれぞれ表示、出力する映像表示部及び音声出力部と、
前記第１及び第２のチューナ部に選局指示を行う選局制御部と、
デジタル放送が運用されている可能性のある物理チャンネル毎に、その物理チャンネルで放送されているデジタル放送を選局するための選局情報を記憶する記憶部と
を備えたデジタル放送受信装置において、
前記選局制御部は、前記第１のチューナ部からの信号及び前記第１の復調部からの信号及び前記第１のデマルチプレクス部からの信号及び前記第１の映像／音声信号デコード部からの信号の内の少なくとも一つを用いて、前記第１のチューナ部で選局しているチャンネルの優先度を算出し、
第２のチューナ部を用いてデジタル放送が放送されている可能性のある物理チャンネルの内のいずれか一つを選局し、その物理チャンネルでデジタル放送を受信できた場合にそのデジタル放送の選局情報を前記記憶部に記憶すると同時に、前記第２のチューナ部からの信号及び前記第２の復調部からの信号及び前記第２のデマルチプレクス部からの信号及び前記第２の映像／音声デコード部からの信号の内の少なくとも一つを用いて、前記第２のチューナ部で選局しているチャンネルの優先度を算出し、
前記第１のチューナ部で選局しているチャンネルで放送されているデジタル放送と前記第２のチューナ部で選局しているチャンネルで放送されているデジタル放送とが系列局又はＭＦＮの関係にあり、かつ前記第２のチューナ部で選局しているチャンネルの優先度が前記第１のチューナ部で選局しているチャンネルの優先度を上回った場合、前記第２のチューナ部で選局しているチャンネルを前記第１のチューナ部で選局することを特徴とするデジタル放送受信装置。
【請求項１３】
前記選局制御部は、デジタル放送の受信状態が良い場合ほど高い優先度を算出することを特徴とする請求項８乃至１２のいずれかに記載のデジタル放送受信装置。
【手続補正２】
【補正対象書類名】明細書
【補正対象項目名】発明の名称
【補正方法】変更
【補正の内容】
【発明の名称】デジタル放送受信装置
【手続補正３】
【補正対象書類名】明細書
【補正対象項目名】０００７
【補正方法】変更
【補正の内容】
【０００７】
本発明は上記したような課題を解決するためになされたもので、視聴中の番組の放送局の番組の視聴が不可になった時に、同じ系列の放送局を見つけるための時間を短縮し、番組の視聴中断時間を短くできるデジタル放送受信装置を提供することを目的とする。
【手続補正４】
【補正対象書類名】明細書
【補正対象項目名】０００８
【補正方法】変更
【補正の内容】
【０００８】
本発明のデジタル放送受信装置は、
デジタル放送を受信し選局を行なう第１及び第２のチューナ部と、
前記第１及び第２のチューナ部の一方からの出力信号の復調、誤り訂正を行いトランスポートストリームを出力する復調部と、
前記復調部から出力されるトランスポートストリームから番組特定情報、番組配列情報を抽出し番組情報の保存を行い、映像、音声ストリームを抽出分離するデマルチプレクス部と、
映像、音声の復号を行う映像／音声デコード部と、
前記映像／音声でコード部の出力をそれぞれ表示、出力する映像表示部及び音声出力部と、
前記第１及び第２のチューナ部の前記一方、前記デマルチプレクス部、及び前記映像／音声デコード部のそれぞれの情報から番組視聴が出来なくなる前または出来なくなった後に視聴不可を検出する受信不可検出部と、
前記第１及び第２のチューナ部に選局指示を行う選局制御部と、
前記選局制御部が系列局を検出した際に、その系列局を選局するための選局情報を記憶する系列局記憶部と
を備えたデジタル放送受信装置において、
前記選局制御部は、前記第１及び第２のチューナ部の他方の信号を用いて、前記系列局記憶部に記録されている系列局に優先度をつけ、
前記受信不可検出部が視聴不可を検出した際に、受信不可検出前に選局していた放送局と同一系列の放送局が前記系列局記憶部に記録されていた場合、前記選局制御部は優先度の高い系列局から順に選局することを特徴とする。
【手続補正５】
【補正対象書類名】明細書
【補正対象項目名】０００９
【補正方法】変更
【補正の内容】
【０００９】
本発明によれば、番組視聴が中断される時間を短縮することができる。